(57)【要約】【課題】遊技制御基板に対する不正行為を防止すると共に、不正行為が行われた場合に、不正行為がされたことを容易かつ確実に判明できる遊技機を提供する。【解決手段】相互に連通した第１挿入孔２２２と第２挿入孔２２６にピン部材２１８が挿入されて基板ケース２１４とケースカバー２１６との接合状態が維持されている。また、第１挿入孔２２２と第２挿入孔２２６とが連通した状態で、スライド防止部材２５０が基板ケース２１４及びケースカバー２１６に係合することにより、基板ケース２１４又はケースカバー２１６の一方の他方に対するスライドが防止される。【選択図】      図７
2011173011.tif 000002
【特許請求の範囲】
【請求項１】
遊技を制御する遊技制御基板と、前記遊技制御基板を収容するための遊技制御基板収容
部材と、を備えた遊技機であって、
前記遊技制御基板収容部材は、
前記遊技制御基板を保持する収容部材本体と、
前記収容部材本体に設けられ第１孔部を備えた第１鍔部材と、
前記収容部材本体と接合して前記収容部材本体との間で前記遊技制御基板を囲むように
覆う収容部材蓋体と、
前記収容部材蓋体に設けられ前記収容部材本体又は前記収容部材蓋体の一方が他方に対
して所定の方向に沿ってスライドして接合された状態で前記第１孔部と連通する第２孔部
を備えた第２鍔部材と、
相互に連通した前記第１孔部と前記第２孔部に挿入されて前記収容部材本体と前記収容
部材蓋体との接合状態を維持する固着部材と、
前記第１孔部と前記第２孔部とが連通した状態の前記収容部材本体及び前記収容部材蓋
体に係合して前記収容部材本体又は前記収容部材蓋体の一方の他方に対するスライドを防
止する係合部材と、
を有し、
前記収容部材本体又は前記収容部材蓋体の一方には、前記係合部材が挿入される嵌入孔
と、前記嵌入孔に挿入された前記係合部材を支持する支持部と、前記支持部に支持された
前記係合部材を前記収容部材本体又は前記収容部材蓋体のスライド方向一方側に位置決め
する第１位置決め部と、が形成され、
前記収容部材本体又は前記収容部材蓋体の他方には、前記支持部に支持された前記係合
部材を前記収容部材本体又は前記収容部材蓋体のスライド方向他方側に位置決めする第２
位置決め部が形成され、
前記係合部材は、前記第１位置決め部及び前記第２位置決め部により前記収容部材本体
又は前記収容部材蓋体のスライド方向両側から位置決めされることにより、前記収容部材
本体又は前記収容部材蓋体の一方の他方に対するスライドを防止するとともに、前記収容
部材本体と前記収容部材蓋体とが接合した状態の前記収容部材本体又は前記収容部材蓋体
の他方側から一方側に向かって前記嵌入孔に挿入され、かつ前記支持部で支持された前記
係合部材を前記嵌入孔から取り出すときに、前記収容部材本体又は前記収容部材蓋体の一
部と係合可能となる爪部を備えており、
前記固着部材は、前記収容部材本体と前記収容部材蓋体とが接合した状態の前記収容部
材本体又は前記収容部材蓋体の一方側から他方側に向かって前記第１孔部及び前記第２孔
部に挿入されることを特徴とする遊技機。
【発明の詳細な説明】
【技術分野】
【０００１】
本発明は、遊技球や遊技メダルなどの遊技媒体を用いた遊技を制御する遊技制御基板と
、遊技制御基板を収容するための遊技制御基板収容部材と、を備えたパチンコ機やスロッ
トマシンなどの遊技機に関する。
【背景技術】
【０００２】
従来から、遊技機には、遊技を制御する遊技制御基板（例えば、主制御基板や払出制御
基板）などを収容するための収容ケースが遊技盤の裏面や遊技機筐体の裏面に取り付けら
れている。この収容ケースは、遊技制御基板を保持するケース本体と、ケース本体と接合
されるケースカバーと、で構成されている。そして、ケース本体とケースカバーとは、ワ
ンウエイビスなどの固着部材で固着されることにより相互に結合されている。
【先行技術文献】
【特許文献】
【０００３】
【特許文献１】特許第３８６０４７９号特許公報
【特許文献２】特開２００４−１１３５２６号公報
【発明の概要】
【発明が解決しようとする課題】
【０００４】
ところで、ワンウエイビスで固着してケース本体とケースカバーとを結合させる方法で
は、特殊な専用工具を用いることにより、痕跡を残すことなく、ワンウエイビスを取り外
すことができる。そして、ケース本体とケースカバーとを分離させ、内部に収容された遊
技制御基板を取り出して、遊技制御基板に対して不正な行為を施し、再び、遊技制御基板
をケース本体に戻して、ケース本体とケースカバーをワンウエイビスで結合させることが
できる。
【０００５】
このような不正行為が行われると、不正行為の痕跡がないため、不正行為を気付くこと
が困難となり、不正行為が行われた遊技制御基板で遊技が開始されることになる。この結
果、不正な遊技が進行するという問題が生じる。
【０００６】
そこで、本発明は、遊技制御基板に対する不正行為を防止すると共に、不正行為が行わ
れた場合でも、不正行為がされたことを容易かつ確実に発見できる遊技機を提供すること
を目的とする。
【課題を解決するための手段】
【０００７】
請求項１に記載の発明は、遊技を制御する遊技制御基板と、前記遊技制御基板を収容す
るための遊技制御基板収容部材と、を備えた遊技機であって、前記遊技制御基板収容部材
は、前記遊技制御基板を保持する収容部材本体と、前記収容部材本体に設けられ第１孔部
を備えた第１鍔部材と、前記収容部材本体と接合して前記収容部材本体との間で前記遊技
制御基板を囲むように覆う収容部材蓋体と、前記収容部材蓋体に設けられ前記収容部材本
体又は前記収容部材蓋体の一方が他方に対して所定の方向に沿ってスライドして接合され
た状態で前記第１孔部と連通する第２孔部を備えた第２鍔部材と、相互に連通した前記第
１孔部と前記第２孔部に挿入されて前記収容部材本体と前記収容部材蓋体との接合状態を
維持する固着部材と、前記第１孔部と前記第２孔部とが連通した状態の前記収容部材本体
及び前記収容部材蓋体に係合して前記収容部材本体又は前記収容部材蓋体の一方の他方に
対するスライドを防止する係合部材と、を有し、前記収容部材本体又は前記収容部材蓋体
の一方には、前記係合部材が挿入される嵌入孔と、前記嵌入孔に挿入された前記係合部材
を支持する支持部と、前記支持部に支持された前記係合部材を前記収容部材本体又は前記
収容部材蓋体のスライド方向一方側に位置決めする第１位置決め部と、が形成され、前記
収容部材本体又は前記収容部材蓋体の他方には、前記支持部に支持された前記係合部材を
前記収容部材本体又は前記収容部材蓋体のスライド方向他方側に位置決めする第２位置決
め部が形成され、前記係合部材は、前記第１位置決め部及び前記第２位置決め部により前
記収容部材本体又は前記収容部材蓋体のスライド方向両側から位置決めされることにより
、前記収容部材本体又は前記収容部材蓋体の一方の他方に対するスライドを防止するとと
もに、前記収容部材本体と前記収容部材蓋体とが接合した状態の前記収容部材本体又は前
記収容部材蓋体の他方側から一方側に向かって前記嵌入孔に挿入され、かつ前記支持部で
支持された前記係合部材を前記嵌入孔から取り出すときに、前記収容部材本体又は前記収
容部材蓋体の一部と係合可能となる爪部を備えており、前記固着部材は、前記収容部材本
体と前記収容部材蓋体とが接合した状態の前記収容部材本体又は前記収容部材蓋体の一方
側から他方側に向かって前記第１孔部及び前記第２孔部に挿入されることを特徴とする。
【０００８】
請求項１に記載の発明によれば、相互に連通した第１孔部と第２孔部に固着部材が挿入
されて収容部材本体と収容部材蓋体との接合状態が維持されている。また、第１孔部と第
２孔部とが連通した状態で、係合部材が収容部材本体及び収容部材蓋体に係合することに
より、収容部材本体又は収容部材蓋体の一方の他方に対するスライドが防止される。これ
により、収容部材本体と収容部材蓋体との接合状態が固着部材と係合部材とにより維持さ
れる。このため、たとえ、固着部材が取り外された場合でも、収容部材本体又は収容部材
蓋体の一方を他方に対してスライドさせることができなくなり、内部に収容されている遊
技制御基板を取り出すことができない。このように、容部材本体と収容部材蓋体との接合
状態を固着部材と係合部材の２つの部材により維持して、内部の遊技制御基板を封印して
いるため、遊技制御基板を取り出すという不正行為を防止できる。また、固着部材や係合
部材、さらには収容部材本体や収容部材蓋体を破壊（破損）させて遊技制御基板を取り出
す不正行為が行われた場合には、それらの破壊状況から不正行為の痕跡が残るため、不正
行為が行われたことを容易に発見できる。
【０００９】
また、請求項１に記載の発明によれば、支持部で支持された係合部材が収容部材本体又
は収容部材蓋体のスライド方向一方側に位置決めされる。また同時に、支持部で支持され
た係合部材が収容部材本体又は収容部材蓋体のスライド方向他方側に位置決めされる。こ
のように、係合部材が収容部材本体又は収容部材蓋体のスライド方向両側から第１位置決
め部及び第２位置決め部によりサンドイッチ構造で位置決めされることにより、簡易な構
成でかつ確実に、収容部材本体又は収容部材蓋体の一方の他方に対するスライドを防止で
きる。
【００１０】
また、請求項１に記載の発明によれば、固着部材は、収容部材本体と収容部材蓋体とが
接合した状態の収容部材本体又は収容部材蓋体の一方側から他方側に向かって第１孔部及
び第２孔部に挿入され、係合部材は、収容部材本体と収容部材蓋体とが接合した状態の収
容部材本体又は収容部材蓋体の他方側から一方側に向かって嵌入孔に挿入される。これに
より、固着部材と係合部材とが相互に反対方向から挿入される形になる。このため、固着
部材が遊技者側に位置した状態では、係合部材が遊技者と反対側に位置した状態になる。
また、係合部材が遊技者側に位置した状態では、固着部材が遊技者と反対側に位置した状
態になる。このように、固着部材又は係合部材のいずれか一方が常に遊技者側と反対側に
なり、不正行為者からアクセスし難くなる。この結果、固着部材及び係合部材の両方への
不正行為を防止できる。
【００１１】
また、請求項１に記載の発明によれば、係合部材の爪部は、支持部で支持された係合部
材を嵌入孔から取り出すときに、収容部材本体又は収容部材蓋体の一部と係合可能になる
。これにより、不正行為により係合部材が嵌入孔から取り出されることを防止できるとと
もに、係合部材を嵌入孔から力任せで強引に取り出そうとすると、爪部が破損なる爪部が
形成されているため、不正行為の痕跡が残り、不正行為が行われたことを容易に発見でき
る。
【発明の効果】
【００１２】
遊技制御基板に対する不正行為を防止すると共に、不正行為が行われた場合でも、不正
行為がされたことを容易かつ確実に発見できる遊技機を提供できる。
【図面の簡単な説明】
【００１３】
【図１】本発明の第１実施形態に係る遊技機の正面図である。
【図２】本発明の第１実施形態に係る遊技機の背面図である。
【図３】本発明の第１実施形態に係る遊技機の遊技盤の正面図である。
【図４】本発明の第１実施形態に係る遊技機の遊技盤の背面図である。
【図５】本発明の第１実施形態に係る遊技機の電子制御装置の一部の構成を示すブロック図である。
【図６】本発明の第１実施形態に係る遊技機の電子制御装置を構成するサブ制御基板を説明するための説明図である。
【図７】本発明の第１実施形態に係る遊技機の遊技制御基板収容部材の斜視図である。
【図８】本発明の第１実施形態に係る遊技機の遊技制御基板収容部材の収容部材本体と収容部材蓋体とを対向させた状態の側面図である。
【図９】本発明の第１実施形態に係る遊技機の遊技制御基板収容部材の収容部材本体又は収容部材蓋体の一方の他方に対するスライド前の状態の側面図である。
【図１０】本発明の第１実施形態に係る遊技機の遊技制御基板収容部材の収容部材本体又は収容部材蓋体の一方が他方に対してスライドして第１孔部と第２孔部とを連通させた状態の側面図である。
【図１１】本発明の第１実施形態に係る遊技機の遊技制御基板収容部材の係合部材（スライド防止部材）の平面図である。
【図１２】本発明の第１実施形態に係る遊技機の遊技制御基板収容部材の係合部材（スライド防止部材）の右側面図である。
【図１３】本発明の第１実施形態に係る遊技機の遊技制御基板収容部材の係合部材（スライド防止部材）の左側面図である。
【図１４】本発明の第１実施形態に係る遊技機の遊技制御基板収容部材の係合部材（スライド防止部材）の正面図である。
【図１５】本発明の第１実施形態に係る遊技機の遊技制御基板収容部材の係合部材（スライド防止部材）の底面図である。
【図１６】本発明の第１実施形態に係る遊技機の遊技制御基板収容部材を構成する収容部材本体又は収容部材蓋体のスライド前の状態を示した部分的な断面図である。
【図１７】本発明の第１実施形態に係る遊技機の遊技制御基板収容部材を構成する収容部材本体又は収容部材蓋体の一方が他方に対してスライドし、接合された状態を示した部分的な断面図である。
【図１８】本発明の第１実施形態に係る遊技機の遊技制御基板収容部材を構成する収容部材本体又は収容部材蓋体の一方が他方に対してスライドして接合し、係合部材が嵌入孔から挿入されて収容部材本体及び収容部材蓋体係合した状態を示した部分的な断面図である。
【図１９】本発明の第１実施形態に係る遊技機の遊技制御基板収容部材を構成する収容部材本体又は収容部材蓋体の一方が他方に対してスライドして接合し、係合部材が嵌入孔から挿入されて収容部材本体及び収容部材蓋体係合した状態を示した部分的な平面図である。
【発明を実施するための形態】
【００１４】
次に、本発明の第１実施形態に係る遊技機について、図面を参照して説明する。なお、
本実施形態では本発明を弾球遊技機の一例であるパチンコ機の遊技制御基板収容ケースに
適用した構成を説明するが、スロットマシンの遊技制御基板を収容するための遊技制御基
板収容ケースに対しても容易に適用することができる。
【００１５】
図１に示すように、第１実施形態に係るパチンコ機（遊技機）１０の前面部には、主と
して、外枠１２と、内枠１４と、前面枠１６と、上皿部１８と、下皿部２０と、施錠装置
２２と、発射ハンドル２４などが設けられている。
【００１６】
外枠１２は、木製の板状体を略長方形の額縁状に組立て固着したものである。内枠１４
は、全体がブラスチック製で、外枠１２に対して開閉可能に軸支されている。また、内枠
１４の右端中央からやや下方には、施錠装置２２が設けられている。
【００１７】
前面枠１６は、本発明の前面扉の一具体例を示すもので、パチンコ機１０の前面部全体
の約２／３のサイズを占め、内枠１４の左端に開閉可能となるように軸支されている。ま
た、前面枠１６は、全体がプラスチック製であり、遊技盤２６（図３参照）を前方から視
認するべく、遊技盤２６に形成された遊技領域２８（図３参照）の形状に対応して略円形
に形成された開口部３０を有している。また、前面枠１６の裏面には、ガラス板３２がガ
ラス枠（図示省略）によって取り付けられている。そして、遊技者を基準とすれば、遊技
盤２６に形成された遊技領域２８はガラス板３２の後方に位置するようになっている。
【００１８】
また、前面枠１６の下方側には、上皿部１８が設けられている。この上皿部１８には、
演出ボタン４０と、球貸操作部１５５と、がそれぞれ設けられている。
【００１９】
また、上皿部１８の下方側には、下皿部２０が設けられている。また、下皿部２０の右
下方側には、遊技球を発射させるための発射ハンドル２４が設けられている。この発射ハ
ンドル２４には、発射レバー４４と、発射停止ボタン４６がそれぞれ設けられている。
【００２０】
また、下皿部２０の左右下方側には、所定の効果音を出力するための各サブスピーカ４
８がそれぞれ設けられている。
【００２１】
また、内枠１４には、遊技領域２８の形状に合致した開口部（図示省略）が形成されて
いる。この内枠１４の内側面には、遊技盤２６が取り付けられる。これにより、遊技者は
、遊技盤２６の遊技領域２８を内枠１４の開口部及び前面枠１６の開口部３０を通して視
認することができる。
【００２２】
さらに、パチンコ機１０の正面左側には、球貸装置１５４が設けられている。本実施形
態では、球貸装置１５４として、ＣＲユニットが適用されている。この球貸装置１５４に
は、プリペイドカードを挿入するカード挿入口１５７が形成されている。なお、球貸装置
１５４として、現金ユニットを設けた構成でもよい。この現金ユニットには、カード挿入
口１５７に替えて、現金を入れるための現金投入口（図示省略）が形成されている。
【００２３】
また、球貸操作部１５５には、球貸しを要求するための球貸スイッチ１５６、カード挿
入口１５７に挿入されたプリペイドカードの返却を要求するための返却スイッチ１５８と
、がそれぞれ設けられている。
【００２４】
例えば、球貸装置１５４のカード挿入口１５７にプリペイドカードを挿入すると、プリ
ペイドカードの記憶情報が球貸装置１５４内部のカードリードライタにより読み取られる
。プリペイドカードの残り度数が「０」である場合には、カード挿入口１５７から自動的
にプリペイドカードが返却される。一方、プリペイドカードの残り度数が「０」でない場
合には、球貸スイッチ１５６を押圧操作すると、カードリードライタによりプリペイドカ
ードの残り度数が減算されてプリペイドカードの記憶情報が書き換えられると共に、その
減算された度数（貸出金額）に対応する個数から消費税に相当する個数が引かれて、遊技
球（貸球）が払出装置１６１から上皿部１８に案内される。このとき、例えば、プリペイ
ドカードの残り度数が減算されて「０」となった場合には、カード挿入口１５７から自動
的にプリペイドカードが返却される。
【００２５】
なお、球貸装置１５４として現金ユニットを用いる構成では、球貸装置の現金投入口に
現金を投入すると、現金が球貸装置内部のキャッシュカウンタによりカウントされる。投
入金額が所定の額に到達した後、球貸スイッチを押圧操作すると、キャッシュカウンタに
より投入金額が減額されていくとともに、その減額された金額（貸出金額）に対応する個
数から消費税に相当する個数が引かれて、遊技球（貸球）が払出装置１６１から上皿部１
８に案内される。
【００２６】
図２に示すように、パチンコ機１０の内枠１４には、遊技盤２６の背面側を覆うように
裏機構盤２００が取り付けられている。この裏機構盤２００には、主として、払出制御基
板１０４を収容した払出制御基板ケースセット２０２と、発射制御基板１０８を収容した
発射制御基板ケースセット２０４と、パチンコ機１０に対して電源を供給する電源基板２
０６を収容した電源基板ケースセット２０８と、がそれぞれ取り付けられている。これら
の各基板ケースセット２０２、２０４、２０８は、組み付け後に、外枠１２を通してパチ
ンコ機１０の背面側に突出するように構成されている。
【００２７】
次に、遊技盤２６の表面構造について説明する。
【００２８】
図３に示すように、遊技盤２６は、内枠１４に保持されるとともに、裏機構盤２００に
よりその背面側が覆われている。遊技盤２６には、遊技盤２６の表面に設けられた外レー
ル５０と内レール５２とにより略円形状の遊技領域２８が形成されている。遊技領域２８
の内部には、中央装置５４と、始動口５６Ｂと、ワープ入球口５８と、多数の障害釘６０
等と、がそれぞれ配設されている。
【００２９】
中央装置５４は、遊技領域２８の略中央部に配置されており、演出図柄表示装置６２と
、センター役物６４と、ランプ装置６６と、を備えている。
【００３０】
演出図柄表示装置６２は、主制御基板（遊技制御基板）１０２やサブ制御基板１０６か
らの制御信号に基づいて表示制御されており、略長方形状の表示面（表示領域）を有して
いる。この表示面上には、特別図柄の演出図柄が表示される。具体的には、演出図柄表示
装置６２の表示面上には、１又は複数の演出図柄を所定の方向に次々と変動させながら表
示した後、停止表示する演出図柄表示領域が形成されている。すなわち、左演出図柄を表
示する左演出図柄表示領域、中央演出図柄を表示する中央演出図柄表示領域、及び右演出
図柄を表示する右演出図柄表示領域が、略横一列となる配置方向に沿って並んで形成され
ている（それぞれ図示省略）。各演出図柄表示領域は、これらの表示領域の配置方向と略
直交する方向（上下方向）に図柄変動方向が設定されており、その方向に複数の演出図柄
が順次表示されていく。
【００３１】
演出図柄表示装置６２は、遊技球が始動口５６Ｂに入球することにより、その表示面の
表示領域に表示される各演出図柄をそれぞれ変動させて停止表示させるものである。そし
て、例えば、演出図柄が「７、７、７」の３桁同一図柄で揃って停止表示（確定表示）す
ると、変動入賞装置８０に配設された大入賞装置８４の大入賞口８６が開放される。本実
施形態のパチンコ機１０では始動口５６Ｂに遊技球が入球すると、各演出図柄がそれぞれ
変動され、演出図柄が３桁同一図柄で揃うことにより、「大当り」という特定価値を付与
するものである。
【００３２】
ここで、本実施形態のパチンコ機１０では、例えば、大当りとして２種類のものが予め
設定されている。具体的には、「７、７、７」などの同一の奇数数字の演出図柄が３桁揃
うことにより成立する確変大当りがある。また、「８、８、８」などの同一の偶数数字の
演出図柄が３桁揃うことにより成立する通常大当りがある。
【００３３】
確変大当り及び通常大当りは、比較的多くのラウンド数（例えば、１５ラウンド）を有
し、大入賞口８６の開放時間が約２６秒間である大当りである。このため、賞球数が比較
的多くなる。なお、各大当りでは、大入賞口８６に所定数（例えば、１０個）の遊技球が
入球するか、あるいは所定数（例えば、１０個）の遊技球が入球しなくても所定時間（例
えば、２６秒間）が経過したときに大入賞口８６が閉じられて１ラウンドが終了する。
【００３４】
また、確率変動状態は、大当り（確変大当り及び通常大当りの２種類の大当りを意味す
る）に移行する確率が予め定められた高確率となる状態である。また、開放時間延長状態
は、始動口５６Ｂの開放時間が通常よりも延長される状態である。例えば、通常の開放時
間は、約０．１秒間であるのに対して、開放時間延長状態では、約４秒間に延長される。
なお、始動口５６Ｂは、普通図柄の抽選に当選することにより開放するもので、普通電動
役物として機能する。
【００３５】
また、確変大当りの後は、大当りに移行する確率が、通常遊技状態と比べ予め定められ
た高確率となる、特別図柄の確率変動状態になる。そして、次回大当りが発生するまでの
間か、あるいは規定回数（例えば、１００００回）の特別図柄の変動表示が行われるまで
の間、特別図柄及び普通図柄の変動時間が短縮され、かつ始動口５６Ｂの開放延長機能が
作動する。また、通常大当りの後は、大当りに移行する確率が通常遊技状態と同一の予め
定められた低確率状態となるとともに、規定回数（例えば、１００回）だけ特別図柄及び
普通図柄の変動時間が短縮され、かつ始動口５６Ｂの開放延長機能が作動する時短遊技状
態となる。
【００３６】
センター役物６４は、演出図柄表示装置６２の前面周辺部に突設して装着されている。
センター役物６４は、可動する一対の翼片部６４Ａを有している。この翼片部６４Ａの可
動によりワープ入球口５８の開口面積が変化する。
【００３７】
また、遊技領域の左下方側には、主制御基板１０２からの制御信号に基づいて識別図柄
（特別図柄の識別図柄及び普通図柄の識別図柄を意味する）を表示制御する７セグ表示基
板（図柄表示装置）６８が配置されている。この７セグ表示基板６８は、特別図柄の識別
図柄を表示する７セグメント表示器７０と、４個の普通図柄保留表示ＬＥＤ７２と、４個
の特別図柄保留表示ＬＥＤ７４と、普通図柄の識別図柄を表示する２個の普通図柄表示Ｌ
ＥＤ７６と、を有している。
【００３８】
ここで、確変大当りした場合では、７セグメント表示器７０には、予め定められた識別
図柄（例えば、奇数の数字からなる確変大当り図柄）が停止表示される。また、通常大当
りした場合では、７セグメント表示器７０には、予め定められた別の識別図柄（例えば、
偶数の数字からなる通常大当り図柄）が停止表示される。
【００３９】
また、演出図柄表示装置６２の左側には、普通図柄作動ゲート７８が配置されている。
この普通図柄作動ゲート７８の内部には、ゲートスイッチ１２４（図５参照）が配設され
ている。これにより、遊技球が普通図柄作動ゲート７８を通過すると、ゲートスイッチ１
２４が作動して、７セグ表示基板６８の普通図柄表示ＬＥＤ７６が変動表示される。
【００４０】
各普通図柄保留表示ＬＥＤ７２及び各特別図柄保留表示ＬＥＤ７４は、４個の丸形の赤
色ＬＥＤで構成されており、７セグメント表示器７０の左右両側に近接して配置されてい
る。これは、普通図柄作動ゲート７８を通過した遊技球の数を４個まで普通図柄の保留と
し、通過ごとに順次点灯しシフト表示するものである。また、始動口５６Ｂに入球した遊
技球の数も４個まで特別図柄の保留とし、入球ごとに順次点灯しシフト表示するものであ
る。７セグメント表示器７０の変動表示が開始する度に、未始動回数が消化され、１個の
特別図柄保留表示ＬＥＤ７４は消灯される。また、普通図柄も普通図柄表示ＬＥＤ７６の
変動表示が開始するたびに、未始動回数が消化され、１個の普通図柄保留表示ＬＥＤ７２
が消灯される。そして、７セグメント表示器７０に予め定められた大当り図柄が停止表示
されると大当りが発生し、大入賞口８６が開放状態となる。また、２個の普通図柄表示Ｌ
ＥＤ７６が予め定められた表示態様（当り図柄）で停止表示されると、普通図柄当りが発
生し、始動口５６Ｂが開放状態となる。なお、７セグメント表示器７０にて表示される特
別図柄の識別図柄と、演出図柄表示装置６２にて表示される特別図柄の演出図柄とは、同
一の遊技結果（抽選結果）を示すものである。
【００４１】
始動口５６Ｂは、演出図柄表示装置６２の下方に離れて配置されているものであり、い
わゆるチューリップ式で一対の翼片部材５６Ａが開閉するように形成されている。その内
部には、遊技球の通過を検知する始動口スイッチ１２０（図５参照）と、翼片部材５６Ａ
を作動させるための始動口ソレノイド１３０（図５参照）と、がそれぞれ備えられている
。この一対の翼片部材５６Ａが左右に開くと始動口５６Ｂの開放面積が大きくなって遊技
球の入球可能性が大きくなる開放状態となり、一対の翼片部材５６Ａが閉じその離間距離
が小さくなると始動口５６Ｂの開放面積が小さくなって遊技球の入球の可能性が小さくな
る通常状態となる。
【００４２】
変動入賞装置８０は、始動口５６Ｂの下方に配置されており、基板８２と、大入賞装置
８４と、を備えている。ここで、大入賞装置８４は、略中央に配置されており、帯状に開
口された大入賞口８６と、この大入賞口８６を開放又は閉鎖する開閉板８８と、この開閉
板８８を開閉するための大入賞口ソレノイド１３２（図５参照）と、入賞球を検知するカ
ウントスイッチ１２６（図５参照）と、を備えている。
【００４３】
また、中央装置５４の左側下方部には、風車６３が配置されている。さらに、遊技領域
の左側下方部及び右側下方部には、一対のサイドランプ９０がそれぞれ配置されている。
【００４４】
また、遊技盤２６の下方にはアウト口９２が設けられており、このアウト口９２の下部
にはバック球防止部材９４が設けられている。このバック球防止部材９４は、遊技領域２
８に到達せず戻ってきた遊技球が再び発射位置に戻ることを防止している。また、内レー
ル５２の先端部には、ファール球防止部材９６が取り付けられている。
【００４５】
ここで、図４に示すように、遊技盤２６の裏面には、主制御基板１０２を収容した主制
御基板ケースセット（遊技制御基板収容部材）２１０と、サブ制御基板１０６を収容した
サブ制御基板収容セット２１２と、がそれぞれ取り付けられている。主制御基板ケースセ
ット２１０の詳細な構成については、後述する。
【００４６】
次に、パチンコ機１０を構成する電子制御装置について説明する。
【００４７】
図５及び図６に示すように、電子制御装置は、主制御基板１０２と、払出制御基板１０
４と、サブ制御基板１０６と、発射制御基板１０８と、を備えている。
【００４８】
図５に示すように、主制御基板１０２は、ＣＰＵ１０２Ａと、ＲＯＭ１０２Ｂと、を備
えている。
【００４９】
また、主制御基板１０２のＣＰＵ１０２Ａは、ＲＯＭ１０２Ｂに記憶されたデータに基
づいて、始動口ソレノイド１３０、大入賞口ソレノイド１３２、図柄表示装置１３４及び
サブ制御基板１０６をそれぞれ制御する。また、主制御基板１０２のＣＰＵ１０２Ａは、
遊技全体を司り主として当否判定などの遊技状態を判断するものである。
【００５０】
特に、ＣＰＵ１０２Ａは、始動口５６Ｂへの遊技球の入球を契機として、大当り抽選処
理（特別遊技抽選処理）を実行し、任意の乱数（特別図柄当否判定乱数）を用いて当否を
判定する機能を備えている。また、特別図柄の当否判定の実行に伴って、ＣＰＵ１０２Ａ
は、特別図柄（識別図柄）の変動パターン（変動時間）を決定する機能も備えている。
【００５１】
この識別図柄の変動パターンは、演出図柄表示装置６２に表示される各演出図柄の演出
パターン（遊技演出）に対応するもので、ＣＰＵ１０２Ａが行う「識別図柄の変動パター
ンの決定」は、「演出図柄の演出パターン（遊技演出）の決定」に相当する。そして、特
別図柄（識別図柄）の変動パターン（演出図柄の演出パターン）が決定されると、７セグ
メント表示器７０で特別図柄（識別図柄）の変動表示が開始されるとともに、演出図柄表
示装置６２で演出図柄の変動表示が開始され、決定された変動パターンにより特定される
変動時間が経過すると、特別図柄および演出図柄が停止表示され、その停止表示された演
出図柄の図柄組み合わせ態様により、特別図柄の当否判定結果（大当り抽選結果）が遊技
者に報知される。なお、演出図柄表示装置６２は、遊技盤２６の表面（盤面）略中央に、
遊技者の視野に入り易い状態で配置される。一方、７セグメント表示器７０は、遊技盤２
６の表面（盤面）の端部（本実施形態では盤面左側端部）に、遊技者の視野に入り難い状
態で配置される。このことから、遊技者は演出図柄表示装置６２の表示内容に注目して遊
技を行うのが一般的である。
【００５２】
そして、ＣＰＵ１０２Ａは、上述した演出図柄の変動表示及び停止表示の制御を行うサ
ブ制御基板１０６や、盤面に設けられた各種入賞口に遊技球が入球することで発生する賞
球の払い出し制御を行う払出制御基板１０４を直接的に制御する。また、主制御基板１０
２のＣＰＵ１０２Ａは、演出表示基板１１０、アンプ基板１１２、装飾駆動基板１１４及
び演出ボタン基板１１６をサブ制御基板１０６を介して間接的に制御する。
【００５３】
主制御基板１０２のＲＯＭ１０２Ｂには、ＣＰＵ１０２Ａにより実行される遊技全体の
制御を実現するためのプログラムが記憶されている。
【００５４】
また、主制御基板１０２は、中継端子板１１８を介して、始動口スイッチ１２０と、大
入賞口スイッチ１２２と、ゲートスイッチ１２４と、カウントスイッチ１２６と、にそれ
ぞれ電気的に接続されている。
【００５５】
また、主制御基板１０２は、中継端子板１２８を介して、始動口ソレノイド１３０と、
大入賞口ソレノイド１３２と、図柄表示装置１３４と、にそれぞれ電気的に接続されてい
る。なお、７セグ表示基板６８は、図柄表示装置１３４の一実施形態である。
【００５６】
払出制御基板１０４は、中継端子板１３６を介して、ガラス枠スイッチ１３８と、外部
タンクスイッチ１４０と、タンクスイッチ１４２と、にそれぞれ電気的に接続されている
。また、払出制御基板１０４は、中継端子板１４４を介して、エラーＬＥＤ１４６に電気
的に接続されている。また、払出制御基板１０４は、下皿満タンスイッチ１４８に電気的
に接続されている。また、払出制御基板１０４は、中継端子板１５０を介して、球貸表示
基板１５２と、球貸装置（ＣＲユニット）１５４と、にそれぞれ電気的に接続されている
。
【００５７】
なお、球貸表示基板１５２には、球貸スイッチ１５６と、返却スイッチ１５８と、がそ
れぞれ電気的に接続されている。また、払出制御基板１０４は、中継端子板１６０を介し
て、払出モータ１６２を備えた払出装置１６１と払出スイッチ１６４とにそれぞれ電気的
に接続されている。さらに、払出制御基板１０４は、主制御基板１０２と発射制御基板１
０８とにそれぞれ電気的に接続されている。
【００５８】
図５及び図６に示すように、サブ制御基板１０６は、演出表示基板１１０と、アンプ基
板１１２と、装飾駆動基板１１４と、演出ボタン基板１１６と、にそれぞれ電気的に接続
されている。
【００５９】
また、サブ制御基板１０６は、主制御基板１０２からの制御信号に基づいて遊技の演出
の制御を司るものである。また、サブ制御基板１０６は、ＣＰＵ１０６Ａと、ＲＯＭ１０
６Ｂと、を備えている。
【００６０】
サブ制御基板１０６のＣＰＵ１０６Ａは、主制御基板１０２からの制御信号を受けて演
出表示基板１１０、アンプ基板１１２、装飾駆動基板１１４及び演出ボタン基板１１６な
どの各基板を制御する。
【００６１】
ＲＯＭ１０６Ｂには、各基板の制御に必要なデータ（特に遊技の装飾に関する情報）が
記憶されている。
【００６２】
図６に示すように、演出表示基板１１０には、演出表示装置１６６（６２）と、演出表
示ＲＯＭ１６８と、がそれぞれ電気的に接続されている。この演出表示ＲＯＭ１６８には
、演出図柄表示装置６２に変動表示及び停止表示される演出図柄のデータ（画像データ）
が記憶されている。なお、演出図柄表示装置６２は、演出表示装置１６６の一実施形態で
ある。
【００６３】
また、アンプ基板１１２には、所定の効果音を出力する各種スピーカ１７０（４８）が
電気的に接続されている。なお、サブスピーカ４８は、各種スピーカ１７０の一実施形態
である。
【００６４】
また、装飾駆動基板１１４には、各種ＬＥＤ・ランプ１７２（６６）が電気的に接続さ
れている。また、装飾駆動基板１１４は、サブ制御基板１０６からの制御信号を受けて遊
技の装飾に関する制御を行うものである。特に、装飾駆動基板１１４は、サブ制御基板１
０６からの制御信号に基づいて、各ランプ装置６６の発光を制御する。また、演出ボタン
基板１１６には、操作スイッチ１７４（４０）が電気的に接続されている。なお、ランプ
装置６６は、各種ＬＥＤ・ランプ１７２の一実施形態である。また、演出ボタン４０は、
操作スイッチ１７４の一実施形態である。
【００６５】
次に、主制御基板ケースセット２１０の詳細な構成について説明する。
なお、払出制御基板ケースセット２０２の構成については、主制御基板ケースセット２
１０の構成と同様であるため、説明を省略する。また、サブ制御基板ケースセット２１２
、発射制御基板ケースセット２０４及び電源基板ケースセット２０８については、不正対
策の必要性が低く、単に係合させるだけの簡略な構成が採用されているため、説明を省略
する。
【００６６】
図７乃至図１０に示すように、主制御基板ケースセット２１０は、基板ケース（収容部
材本体）２１４と、ケースカバー（収容部材蓋体）２１６と、基板ケース２１４とケース
カバー２１６との接合状態を維持させるピン部材（固着部材）２１８と、で構成されてい
る。
【００６７】
基板ケース２１４は、内部で主制御基板１０２を保持するためのケースであり、無色透
明の樹脂で構成されている。基板ケース２１４の一方側の外側表面には、無色透明の樹脂
製の第１フランジ部（第１鍔部材）２２０が一体形成されている。この第１フランジ部２
２０には、ピン部材２１８が挿入される第１挿入孔（第１孔部）２２２が第１フランジ部
２２０（基板ケース２１４）の厚み方向に延びるように形成されている。この第１挿入孔
２２２の径（直径）は、ピン部材２１８を構成する後述の圧入軸部材（軸部材）２４０の
径（直径）よりも若干小さく設定されている。
【００６８】
基板ケース２１４の第１フランジ部２２０の反対側側面には、無色透明の樹脂製の第１
係合部が形成されている。図１６乃至図１８に示すように、第１係合部は、基板ケース２
１４の側壁部２８０と、スライド防止部材（係合部材）２５０を支持し基板ケース２１４
の側壁部２８０から基板ケース２１４のスライド方向に延びる支持片（支持部）２８２と
、基板ケース２１４の支持片２８２と対向する位置に形成され基板ケース２１４を厚み方
向に貫通した嵌入孔２８４と、嵌入孔２８４の１つの内側面２８４Ａを構成し支持片２８
２に支持されたスライド防止部材２５０の一方側端面２５４と接触しスライド防止部材２
５０を位置決めする第１位置決め端部（第１位置決め部）２８６と、を備えている。
【００６９】
支持片２８２は、一方側端部が基板ケース２１４の側壁部２８０に接続されて固定端と
なり、他方側端部が自由端となるように構成されている。支持片２８２にスライド防止部
材２５０が載せられることにより、支持片２８２でスライド防止部材２５０を支持した状
態になる。
【００７０】
嵌入孔２８４の寸法は、スライド防止部材２５０の平板状のスライド防止部材本体２５
２の寸法と略同じか若干大きくなるように設定されている。このため、図１９に示すよう
に、スライド防止部材２５０が嵌入孔２８４から挿入されて支持片２８２で支持された状
態では、スライド防止部材本体２５２の４つの外側面２５４、２５８、２６２、が嵌入孔
２８４の４つの内側面２８４Ａ、２８４Ｂ、２８４Ｃ、２８４Ｄと接触するように構成さ
れている。この結果、スライド防止部材２５０が嵌入孔２８４の内部で移動することが不
可能になる。
【００７１】
第１位置決め端部２８６は、スライド防止部材２５０が支持片２８２に嵌められた状態
でスライド防止部材本体２５２の１つの外側面２５４と接触し、スライド防止部材２５０
の基板ケース２１４のスライド方向一方側への移動を阻止してスライド防止部材２５０を
位置決めするものである。
【００７２】
図７乃至図１０に示すように、ケースカバー２１６は、基板ケース２１４に接合して基
板ケース２１４との間で主制御基板１０２を囲むように覆う樹脂製で無色透明のカバーで
ある。ケースカバー２１６の一方側の外側表面には、無色透明の樹脂製の第２フランジ部
（第２鍔部材）２２４が一体形成されている。この第２フランジ部２２４には、ピン部材
２１８が挿入される第２挿入孔２２６が第２フランジ部２２４（ケースカバー２１６）の
厚み方向に貫通するように形成されている。この第２挿入孔２２６は、内径が比較的大き
く設定された拡径孔部２２６Ａと、拡径孔部２２６Ａと連通し拡径孔部２２６Ａの径（直
径）よりも小さな径の縮径孔部２２６Ｂと、で構成されている。拡径孔部２２６Ａの径（
直径）は、ピン部材２１８を構成する圧入軸部材２４０の径（直径）よりも大きく設定さ
れており、かつピン部材２１８のヘッド部材２４２の最大径（直径）と略同じ径となるよ
うに設定されている。また、縮径孔部２２６Ｂの径（直径）は、圧入軸部材２４０の径（
直径）と略同じ径か、あるいは若干小さくなるように設定されている。図１０に示すよう
に、ピン部材２１８を第２挿入孔２２６の開口部２２８から内部に挿入すると、ヘッド部
材２４２が拡径孔部２２６Ａと縮径孔部２２６Ｂとの段違い部２３０に係合するため、ピ
ン部材２１８の第２挿入孔２２６の深さ方向（第２フランジ部２２４の厚み方向）へのさ
らなる移動（第２フランジ部２２４側へのさらなる移動）が阻止され、ピン部材２１８が
第１挿入孔２２２及び第２挿入孔２２６の内部で位置決めされる。
【００７３】
ケースカバー２１６の第２フランジ部２２４の反対側側面には、無色透明の樹脂製の第
２係合部が形成されている。図１６乃至図１８に示すように、第２係合部は、ケースカバ
ー２１６の側壁部（第２位置決め部）２９０と、ケースカバー２１６の側壁部２９０に形
成されケースカバー２１６のスライド方向に沿って貫通したガイド孔２９２と、で構成さ
れている。
【００７４】
ケースカバー２１６の側壁部２９０は、スライド防止部材２５０が支持片２８２に載せ
られた状態でスライド防止部材２５０の第２爪部２６０及び第３爪部２６４と接触し、基
板ケース２１４の嵌入孔２８４の第１位置決め端部２８６との間でスライド防止部材２５
０を挟み込んでスライド防止部材２５０を位置決めするものであり、第２位置決め端部と
して機能する。すなわち、嵌入孔２８４の１つの内側面２８４Ａを構成する第１位置決め
端部２８６とケースカバー２１６の側壁部２９０を構成する第２位置決め端部との間でス
ライド防止部材２５０が基板ケース２１４又はケースカバー２１６のスライド方向両側か
ら挟まれて、基板ケース２１４又はケースカバー２１６の一方の他方に対するスライドが
阻止される。この結果、基板ケース２１４とケースカバー２１６を離間させることができ
なくなり、内部に収容されている主制御基板１０２を取り出すことが不可能になる。
【００７５】
ガイド孔２９２は、その形状が基板ケース２１４の支持片２８２の断面形状（スライド
方向に対して直交する方向に切断した断面形状）と同じ形状になるように、形成されてい
る。
【００７６】
図９及び図１６に示すように、基板ケース２１４とケースカバー２１６とが合わせられ
た状態（スライドして接合する前の状態）では、ケースカバー２１６の側壁部２９０が基
板ケース２１４の支持片２８２の自由端と対向する部位に進入する。そして、図１０及び
図１７に示すように、基板ケース２１４又はケースカバー２１６の一方が他方に対してス
ライドすると、ケースカバー２１６の側壁部２９０に形成されたガイド孔２９２に支持片
２８２がその自由端側から貫通していき、図１８に示すように、やがてケースカバー２１
６の側壁部２９０と基板ケース２１４の側壁部２８０とが面接する。ケースカバー２１６
の側壁部２９０と基板ケース２１４の側壁部２８０とが面接すると、基板ケース２１４又
はケースカバー２１６の一方の他方に対するそれ以上のスライドが阻止されるとともに、
基板ケース２１４の第１フランジ部２２０とケースカバー２１６の第２フランジ部２２４
とが面接して第１挿入孔２２２と第２挿入孔２２６とが連通した状態になる。これにより
、ピン部材２１８を第２挿入孔２２６の開口部２２８側から挿入することが可能になると
ともに、基板ケース２１４に形成された嵌入孔２８４にスライド防止部材２５０を挿入す
ることが可能になる。
【００７７】
ここで、基板ケース２１４とケースカバー２１６との接合方法について説明する。
【００７８】
図８及び図９に示すように、基板ケース２１４とケースカバー２１６とを対向させて、
両者を接近させる。基板ケース２１４とケースカバー２１６とが接近して接触した状態で
は、基板ケース２１４の第１フランジ部２２０とケースカバー２１６の第２フランジ部２
２４とが面接せず、相互に位置ずれした状態になっている。そして、図１０に示すように
、基板ケース２１４の第１フランジ部２２０とケースカバー２１６の第２フランジ部２２
４とが面接するように、基板ケース２１４又はケースカバー２１６の一方を他方に対して
スライド移動させる。これにより、基板ケース２１４の第１フランジ部２２０とケースカ
バー２１６の第２フランジ部２２４とが面接して、第１挿入孔２２２と第２挿入孔２２６
とが相互に連通した状態になる。第１挿入孔２２２と第２挿入孔２２６とが相互に連通し
た状態になると、第１挿入孔２２２及び第２挿入孔２２６の開口部２２８側からピン部材
２１８を挿入（圧入）する。
【００７９】
次に、基板ケース２１４とケースカバー２１６との接合状態を維持させて両者を分離不
可能にするピン部材２１８の構成について説明する。
【００８０】
図１０に示すように、ピン部材２１８は、全体として金属で構成されており、所定の方
向に延びる圧入軸部材２４０と、圧入軸部材２４０の軸方向一方側端部に一体形成された
ヘッド部材２４２と、で構成されている。
【００８１】
圧入軸部材２４０は、金属製で円柱状に形成され、第１挿入孔２２２及び第２挿入孔２
２６に圧入されるものである。
【００８２】
ヘッド部材２４２は、金属製であり、かつ、圧入軸部材２４０との接続部位から離間す
る方向に向かって拡径するように形成されている。このため、ヘッド部材２４２の径は、
圧入軸部材２４０から離間する方向に向かって徐々に大きくなる。
【００８３】
次に、基板ケース２１４又はケースカバー２１６の一方の他方に対するスライドを防止
して基板ケース２１４とケースカバー２１６との接合状態の解除を阻止するスライド防止
部材の構成について詳細に説明する。
【００８４】
図１１乃至図１５に示すように、スライド防止部材２５０は、基板ケース２１４及びケ
ースカバー２１６と同じように全体として無色透明の樹脂製で構成されており、平板状の
スライド防止部材本体２５２と、スライド防止部材本体２５２のスライド方向一方側の外
側面２５４近傍に形成されスライド防止部材本体２５２の平面部に対して直交する方向に
垂下した第１爪部（爪部）２５６と、スライド防止部材本体２５２の右側の外側面２５８
近傍に形成されスライド防止部材本体２５２の平面部に対して直交する方向に垂下した第
２爪部（爪部）２６０と、スライド防止部材本体２５２の左側の外側面２６２近傍に形成
されスライド防止部材本体２５２の平面部に対して直交する方向に垂下した第３爪部（爪
部）２６４と、を備えている。
【００８５】
スライド防止部材本体２５２は、平面視にて長方形状に形成されており、中央部に貫通
孔２６６が形成されている。図１９に示すように、スライド防止部材２５０が嵌入孔２８
４に挿入されて支持片２８２により支持された状態では、スライド防止部材本体２５２の
４つの外側面２５４、２５８、２６２、２６８が相互に対向する嵌入孔２８４の４つの内
側面２８４Ａ、２８４Ｂ、２８４Ｃ、２８４Ｄと接触している。
【００８６】
図１１乃至図１５に示すように、第１爪部２５６は、スライド防止部材２５０が嵌入孔
２８４に挿入されて支持片２８２で支持されたときに、嵌入孔２８４のスライド方向一方
側の内側面２８４Ａの近傍に位置する爪部である。第１爪部２５６には、スライド方向一
方側に突出した突部２５６Ａが形成されている。スライド防止部材２５０が嵌入孔２８４
に挿入されて支持片２８２で支持されたときに、スライド防止部材２５０を嵌入孔２８４
から強引に取り出そうとすると、第１爪部２５６の突部２５６Ａが嵌入孔２８４のスライ
ド方向一方側の内側面２８４Ａ又はその近傍に引っ掛かり、スライド防止部材２５０の嵌
入孔２８４からの取り出しが不可能になる。また、第１爪部２５６は、スライド防止部材
２５０をさらに大きな力で強引に嵌入孔２８４から取り出そうとしたときに破損する程度
の強度に設定されている。このため、第１爪部２５６が嵌入孔２８４のスライド方向一方
側の内側面２８４Ａに引っ掛かっているにもかかわらず、さらに大きな力でスライド防止
部材２５０を強引に取り出そうとすると、第１爪部２５６が破損し、不正行為の痕跡が残
ることになる。なお、第１爪部２５６に、薄肉状の応力集中部を形成し、その応力集中部
で破損し易くするように構成してもよい。
【００８７】
第２爪部２６０は、スライド防止部材２５０が嵌入孔２８４に挿入されて支持片２８２
で支持されたときに、嵌入孔２８４のスライド方向に延びる右側の内側面２８４Ｂの近傍
に位置する爪部である。第２爪部２６０には、スライド方向に対して直交する方向に突出
した突部２６０Ａと、薄肉状の応力集中部２６０Ｂと、が形成されている。スライド防止
部材２５０が嵌入孔２８４に挿入されて支持片２８２で支持されたときに、スライド防止
部材２５０を嵌入孔２８４から強引に取り出そうとすると、第２爪部２６０の突部２６０
Ａが嵌入孔２８４の右側の内側面２８４Ｂ又はその近傍に引っ掛かり、スライド防止部材
２５０の嵌入孔２８４からの取り出しが不可能になる。また、第２爪部２６０の応力集中
部２６０Ｂは、スライド防止部材２５０をさらに大きな力で強引に嵌入孔２８４から取り
出そうとしたときに破損する程度の強度に設定されている。このため、第２爪部２６０が
嵌入孔２８４の右側の内側面２８４Ｂに引っ掛かっているにもかかわらず、さらに大きな
力でスライド防止部材２５０を強引に取り出そうとすると、第２爪部２６０の応力集中部
２６０Ｂが破損し、不正行為の痕跡が残ることになる。
【００８８】
第３爪部２６４は、スライド防止部材２５０が嵌入孔２８４に挿入されて支持片２８２
で支持されたときに、嵌入孔２８４のスライド方向に延びる左側の内側面２８４Ｃの近傍
に位置する爪部である。第３爪部２６４には、スライド方向に対して直交する方向に突出
した突部２６４Ａと、薄肉状の応力集中部２６４Ｂと、が形成されている。スライド防止
部材２５０が嵌入孔２８４に挿入されて支持片２８２で支持されたときに、スライド防止
部材２５０を嵌入孔２８４から強引に取り出そうとすると、第３爪部２６４の突部２６４
Ａが嵌入孔２８４の左側の内側面２８４Ｃ又はその近傍に引っ掛かり、スライド防止部材
２５０の嵌入孔２８４からの取り出しが不可能になる。また、第３爪部２６４の応力集中
部２６４Ｂは、スライド防止部材２５０をさらに大きな力で強引に嵌入孔２８４から取り
出そうとしたときに破損する程度の強度に設定されている。このため、第３爪部２６４が
嵌入孔２８４の左側の内側面２８４Ｃに引っ掛かっているにもかかわらず、さらに大きな
力でスライド防止部材２５０を強引に取り出そうとすると、第３爪部２６４の応力集中部
２６４Ｂが破損し、不正行為の痕跡が残ることになる。
【００８９】
ここで、図１８に示すように、スライド防止部材２５０が嵌入孔２８４に挿入されて支
持片２８２で支持された状態では、基板ケース２１４の側壁部２８０とスライド防止部材
２５０の第２爪部２６０及び第３爪部２６４との間に形成された空間部に、ケースカバー
２１６の側壁部２９０が位置した状態になっている。すなわち、スライド防止部材２５０
が嵌入孔２８４に挿入されて支持片２８２で支持された状態では、ケースカバー２１６の
側壁部２９０は、基板ケース２１４の側壁部２８０とスライド防止部材２５０の第２爪部
２６０及び第３爪部２６４と、でスライド方向両側から挟まれた状態になっている。
【００９０】
次に、ピン部材２１８の第１フランジ部２２０及び第２フランジ部２２４に対する取付
方法について説明する。
【００９１】
図８乃至図１０に示す工程を経て、基板ケース２１４の第１フランジ部２２０とケース
カバー２１６の第２フランジ部２２４とを面接させ、第１挿入孔２２２と第２挿入孔２２
６とを連通させる。これにより、第１挿入孔２２２と第２挿入孔２２６の縮径孔部２２６
Ｂとが接続して、１つの連通孔になる。
【００９２】
次に、ピン部材２１８の圧入軸部材２４０を第２挿入孔２２６の開口部２２８（図１０
参照）から挿入する。ピン部材２１８を挿入していくと、圧入軸部材２４０が第２挿入孔
２２６の縮径孔部２２６Ｂに到達するとともに縮径孔部２２６Ｂに圧入されていく。
【００９３】
引き続き、ピン部材２１８を挿入していくと、ピン部材２１８の圧入軸部材２４０が第
１フランジ部２２０の第１挿入孔２２２に到達するとともに第１挿入孔２２２の開口部２
３６（図８参照）から内部に圧入されていく。
【００９４】
次に、スライド防止部材２５０の嵌入孔２８４からの取付方法について説明する。
【００９５】
図９及び図１６に示すように、基板ケース２１４とケースカバー２１６とが合わせられ
た状態（スライドされる前の状態で第１挿入孔２２２と第２挿入孔２２６とが連通してい
ない状態）で、基板ケース２１４の支持片２８２の自由端と対向する位置に、ケースカバ
ー２１６の側壁部２９０が挿入される。このとき、支持片２８２の自由端の近傍に、ケー
スカバー２１６の側壁部２９０に形成されたガイド孔２９２が対向配置された状態になっ
ている。
【００９６】
次に、図１０及び図１７に示すように、基板ケース２１４又はケースカバー２１６の一
方を他方に対してスライドさせ、第１挿入孔２２２と第２挿入孔２２６とを連通させよう
とすると、支持片２８２がガイド孔２９２に挿入されていき、基板ケース２１４の側壁部
２８０とケースカバー２１６の側壁部２９０との離間距離が縮まっていく。そして、基板
ケース２１４又はケースカバー２１６の一方の他方に対するスライドが完全に終了すると
、基板ケース２１４の側壁部２８０とケースカバー２１６の側壁部２９０とが接触した状
態になる。
【００９７】
この状態で、図１８に示すように、基板ケース２１４の嵌入孔２８４にスライド防止部
材２５０が挿入され、スライド防止部材２５０の第１爪部２５６が支持片２８２に載せら
れた状態になる。これにより、スライド防止部材２５０が支持片２８２により支持される
。このように、ピン部材２１８は、ケースカバー２１６側から第２挿入孔２２６に挿入さ
れる。一方、スライド防止部材２５０は、基板ケース２１４側から嵌入孔２８４に挿入さ
れる。つまり、ピン部材２１８とスライド防止部材２５０とは、相互に反対方向から挿入
される。
【００９８】
ここで、スライド防止部材２５０が支持片２８２に支持された状態では、基板ケース２
１４の側壁部２８０とスライド防止部材２５０の第２爪部２６０及び第３爪部２６４との
間に生じた空間部に、ケースカバー２１６の側壁部２９０が位置するとともに、ケースカ
バー２１６の側壁部２９０と基板ケース２１４の側壁部２８０とが接触し、ケースカバー
２１６の側壁部２９０とスライド防止部材２５０の第２爪部２６０及び第３爪部２６４と
の間に、わずかな隙間が形成されている。
【００９９】
また同時に、図１９に示すように、スライド防止部材２５０の第１爪部２５６は、嵌入
孔２８４のスライド方向一方側の内側面２８４Ａ側に位置した状態になる。第２爪部２６
０は、嵌入孔２８４のスライド方向右側の内側面２８４Ｂ側に位置した状態になり、第３
爪部２６４は、嵌入孔２８４のスライド方向左側の内側面２８４Ｃ側に位置した状態にな
る。
【０１００】
このように、図１８に示すように、スライド防止部材２５０が嵌入孔２８４に挿入され
て支持片２８２で支持された状態では、基板ケース２１４又はケースカバー２１６の一方
を他方にスライドさせて基板ケース２１４とケースカバー２１６とを離間させようとする
と、ケースカバー２１６の側壁部２９０がスライド防止部材２５０の第２爪部２６０及び
第３爪部２６４に接触し、ケースカバー２１６の側壁部２９０から第２爪部２６０及び第
３爪部２６４に対して所定の押圧力が作用する。
【０１０１】
スライド防止部材２５０の第２爪部２６０及び第３爪部２６４に対してケースカバー２
１６の側壁部２９０から所定の押圧力が作用すると、その押圧力は第２爪部２６０及び第
３爪部２６４を介してスライド防止部材本体２５２に伝達される。押圧力がスライド防止
部材本体２５２に伝達すると、スライド防止部材２５０が押圧力の作用方向に移動しよう
とするが、スライド防止部材本体２５２のスライド方向一方側の外側面２５４が嵌入孔２
８４の内側面２８６と接触して位置決めされているため、スライド防止部材２５０は移動
しない。この結果、スライド防止部材２５０が干渉（邪魔）して、基板ケース２１４又は
ケースカバー２１６の一方の他方に対するスライドが阻止される。
【０１０２】
ここで、基板ケース２１４又はケースカバー２１６に大きな力を作用させて、一方を他
方に対してスライドさせようとすると、スライド防止部材２５０の第２爪部２６０と第３
爪部２６４に大きな押圧力が作用する。この結果、図１２及び図１３に示すように、低強
度に設定された第２爪部２６０の応力集中部２６０Ｂと第３爪部２６４の応力集中部２６
４Ｂとが破損することになり、不正行為が行われたことを容易に発見することができる。
【０１０３】
また、図１９に示すように、スライド防止部材２５０を嵌入孔２８４から取り出そうと
すると、第１爪部２５６が嵌入孔２８４のスライド方向一方側の内側面２８６又はその近
傍に引っ掛かり、また、第２爪部２６０が嵌入孔２８４の右側の内側面２８４又はその近
傍に引っ掛かり、さらに、第３爪部２６４が嵌入孔２８４の左側の内側面２８４Ｃ又はそ
の近傍に引っ掛かる。これにより、スライド防止部材２５０の取り出しを防止することが
できる。そして、スライド防止部材２５０をさらに大きな力で強引に取り出そうとすると
、第１爪部２５６、第２爪部２６０、第３爪部２６４の全部又はいずれか（特に、応力集
中部２６０Ｂ、２６４Ｂ）が破損する。これにより、スライド防止部材２５０を取り出そ
うとした不正行為を容易に発見することができる。
【０１０４】
さらに、スライド防止部材２５０、基板ケース２１４及びケースカバー２１６と同様に
、無色透明の樹脂で構成されているため、スライド防止部材２５０が支持片２８２により
支持された状態では、スライド防止部材２５０が基板ケース２１４及びケースカバー２１
６と同化して、外部からスライド防止部材２５０を発見することが困難になる。この結果
、スライド防止部材２５０に対する不正行為を未然に防止できる。
【０１０５】
以上のように、図７に示すように、第１実施形態によれば、基板ケース２１４とケース
カバー２１６の接合状態が、ピン部材２１８とスライド防止部材２５０の異なる２つの部
材で維持されているため、たとえ、ピン部材２１８が取り外された場合でも、基板ケース
２１４とケースカバー２１６とを離間（開封）させて内部の主制御基板１０２を取り出す
ことができない。これにより、２つの施錠部材で、主制御基板１０２の不正行為を防止す
ることができる。
【０１０６】
また、ピン部材２１８を取り外すときの方法と、スライド防止部材２５０を取り外すと
きの方法が異なり、ピン部材２１８を取り外すときと同様の工具（手段）で、スライド防
止部材２５０を取り外すことができないため、不正行為防止機能を向上させることができ
る。
【０１０７】
さらに、主制御基板ケースセット２１０が遊技盤２６の裏面に取り付けられた状態で、
ピン部材２１８が遊技者（遊技盤２６）側を向いている場合には、スライド防止部材２５
０が遊技者側と反対側に向いて露出していることになる。このため、遊技者側からスライ
ド防止部材２５０にアクセスすることができなくなり、スライド防止部材２５０を取り出
すことが不可能になる。一方、主制御基板ケースセット２１０が遊技盤２６の裏面に取り
付けられた状態で、スライド防止部材２５０が遊技者（遊技盤２６）側を向いている場合
には、ピン部材２１８が遊技者側と反対側に向いて露出していることになる。このため、
遊技者側からピン部材２１８にアクセスすることができなくなり、ピン部材２１８を取り
出すことが不可能になる。このように、ピン部材２１８とスライド防止部材２５０とが相
互に反対方向に露出しており、一方が常に遊技者側と反対側を向いているため、２つの部
材を取り出すことができなくなる。この結果、内部に収容されている主制御基板１０２を
取り出すことが不可能になり、不正行為を防止できる。
【０１０８】
また、ピン部材２１８、スライド防止部材２５０、基板ケース２１４又はケースカバー
２１６を破損（破壊）させて、内部の主制御基板１０２を取り出し不正行為を施した場合
には、当然ながら、不正行為の痕跡が残るため、不正行為の事実を容易に発見することが
できる。
【０１０９】
なお、上記各実施形態では、基板ケース２１４に第１係合部が設けられ、ケースカバー
２１６に第２係合部が設けられた構成を示したが、例えば、基板ケース２１４に第２係合
部が設けられ、ケースカバー２１６に第１係合部が設けられた構成でもよい。この構成で
は、スライド防止部材２５０は、ケースカバー２１６に形成された嵌入孔に挿入される（
ケースカバー２１６側からの挿入）。また、このとき、基板ケース２１４の第１フランジ
部２２０の第１挿入孔を貫通孔にして、ピン部材２１８は、基板ケース２１４の第１挿入
孔の開口部から挿入（圧入）されていくことが好ましい（基板ケース２１４側からの挿入
）。
【０１１０】
また、上記各実施形態では、本発明を、主制御基板１０２を収容する主制御基板ケース
セット２１０に適用した構成を例に挙げて説明したが、この構成に限られるものではなく
、サブ制御基板ケースセット２１２、払出制御基板ケースセット２０２、発射制御基板ケ
ースセット２０４及び電源基板ケースセット２０８など、他の遊技に関連する基板を収容
するケースにも容易に適用することができる。
【符号の説明】
【０１１１】
１０        パチンコ機（遊技機）
１０２      主制御基板（遊技制御基板）
２１０      主制御基板ケースセット（遊技制御基板収容部材）
２１４      基板ケース（収容部材本体）
２１６      ケースカバー（収容部材蓋体）
２１８      ピン部材（固着部材）
２２０      第１フランジ部（第１鍔部材）
２２２      第１挿入孔（第１孔部）
２２４      第２フランジ部（第２鍔部材）
２２６      第２挿入孔（第２孔部）
２５０      スライド防止部材（係合部材）
２５６      第１爪部（爪部）
２６０      第２爪部（爪部）
２６４      第３爪部（爪部）
２８２      支持片（支持部）
２８４      嵌入孔
２８６      第１位置決め端部（第１位置決め部）
２９０      側壁部（第２位置決め部）
【図１】
2011173011.tif 000003
【図２】
2011173011.tif 000004
【図３】
2011173011.tif 000005
【図４】
2011173011.tif 000006
【図５】
2011173011.tif 000007
【図６】
2011173011.tif 000008
【図７】
2011173011.tif 000009
【図８】
2011173011.tif 000010
【図９】
2011173011.tif 000011
【図１０】
2011173011.tif 000012
【図１１】
2011173011.tif 000013
【図１２】
2011173011.tif 000014
【図１３】
2011173011.tif 000015
【図１４】
2011173011.tif 000016
【図１５】
2011173011.tif 000017
【図１６】
2011173011.tif 000018
【図１７】
2011173011.tif 000019
【図１８】
2011173011.tif 000020
【図１９】
2011173011.tif 000021